(57)【要約】    【課題】  段ボールを折畳んで構成される梱包用緩衝体において、才落部分をなくして段ボールの完全利用を図る。    【解決手段】  段ボール１０の各板状部１１〜２２にそれぞれほぼＬ字状をなす破断線４０を形成するとともに、これらの破断線４０が第１のグループの板状体１１〜１６と１７〜２２とで板状体１１〜２２の幅の中心に対して対称に形成し、これによって２分割された場合に２つの緩衝体４７の保持部５０と受け壁５１とが互いに凹凸嵌合する形状にする。【選択図】        図９
2006232358.tif 000002
【特許請求の範囲】
【請求項１】
段ボールを折畳んで構成される梱包用緩衝体において、
複数の板状部を有し、該複数の板状部が一方のライナのみが連結された半切線および／または連結部によって間欠的に連結された切断線によって交互に逆方向に折畳まれ、
しかも各板状部にはほぼＬ字状をなす破断線が形成され、該破断線の前記半切線または切断線と平行な部位の位置が、連結方向の第１のグループの板状体と第２のグループの板状体とで板状体の幅の中心部に対して対称になされ、
前記切断線のところで２分割すると背面側の受け壁の前面が受け面になっている保持部が形成され、しかも２分割されたそれぞれの緩衝体の保持部と受け壁とが互いに凹凸嵌合する形状になっていることを特徴とする梱包用緩衝体。
【請求項２】
前記半切線と前記切断線とが板状体の連結方向に交互に形成されることを特徴とする請求項１に記載の梱包用緩衝体。
【請求項３】
折畳まれた板状部は必要に応じて糊剤によって接合されることを特徴とする請求項１に記載の梱包用緩衝体。
【請求項４】
前記半切線および／または切断線を横切るように破断線が形成され、該破断線によって折畳まれた板状体が複数個に分割され、それぞれの分割部分が前記ほぼＬ字状の破断線のところでさらに２分割されることを特徴とする請求項１に記載の梱包用緩衝体。
【請求項５】
受け壁の前端側の板状部が受け板を構成し、該受け板が折曲げられて板状部の端面によって構成される保持部の上面を覆うことを特徴とする請求項１に記載の梱包用緩衝体。
【請求項６】
保持部によって被梱包物品のコーナエッジを受けることを特徴とする請求項１に記載の梱包用緩衝体。
【発明の詳細な説明】
【技術分野】
【０００１】
本発明は梱包用緩衝体に係り、とくに段ボールを折畳んで構成される梱包用緩衝体に関する。
【背景技術】
【０００２】
各種の被梱包物を物流に供する際に、外部からの衝撃によって被梱包物が破損しないようにしなければならない。そこで従来より、被梱包物を段ボールによって組立てられた包装箱に収納するとともに、被梱包物と包装箱との間の空間にスチロール樹脂の発泡成形体から成る緩衝体を介在させるようにしていた。このような形態によると、外部からの衝撃を上記包装箱のみならず、発泡樹脂の緩衝体によって緩衝することができ、このために被梱包物の損傷が防止されることになる。
【０００３】
ところが高分子材料、例えばポリスチレンの発泡成形体は、使用後において廃棄する際に、焼却すると黒煙を発し、また発生する高温の熱によって炉を損傷する可能性がある。またそのまま廃棄しても、生分解性を有せず、このために土の中でバクテリアによって分解されることがなく、廃棄物公害の原因になり、環境汚染や自然破壊の原因物質になる。
【０００４】
そこで本願発明者等は、例えば特開２００１−７２１３５号公報や特開２００４−５９１１８号公報等によって、段ボールを折畳んで構成される梱包用緩衝体を提案している。この種の梱包用緩衝体は、段ボールによって連続するように複数の板状部を形成し、これらの板状部間に介在する折曲げ部分で交互に逆方向に折畳んでブロック状とし、さらに形状的な工夫を凝らすことによって、被梱包物の包装形態に応じた緩衝体としたものである。
【０００５】
このような緩衝体は、段ボールによって構成されるために、繰返して使用することができるばかりでなく、古紙として再生することができる。また焼却処分した場合においても、原料がセルロースであることから、とくに焼却の際に環境汚染の原因物質を排出することがない。廃棄しても、やがて土中のバクテリアによって水と炭酸ガスに分解されるために、廃棄物公害を発生しない。
【０００６】
ところが従来の段ボールを折畳んで構成される包装用緩衝体は、段ボールの利用率が低い欠点があった。すなわち段ボールを打抜いて所定の形状とする際に、多かれ少なかれ一部を除去することになり、才落部分を生ずる問題があった。従ってこのことから、段ボールの利用効率の悪化に伴うコストアップの問題を生じ、さらには資源の有効利用に反する欠点があった。
【特許文献１】特開２００１−７２１３５号公報
【特許文献２】特開２００４−５９１１８号公報
【発明の開示】
【発明が解決しようとする課題】
【０００７】
本願発明の課題は、段ボールの利用効率が高く、原料資源の無駄を生じないようにした梱包用緩衝体を提供することである。
【０００８】
本願発明の別の課題は、段ボールの利用効率が１００％であって、全く才落部分を発生しない梱包用緩衝体を提供することである。
【０００９】
本願発明のさらに別の課題は、複数個の緩衝体を同時に形成できるようにした梱包用緩衝体を提供することである。
【００１０】
本願発明のさらに別の課題は、被梱包物に比べて寸法の小さい緩衝体によって確実に被梱包物を保護できるようにした梱包用緩衝体を提供することである。
【００１１】
本願発明のさらに別の課題は、被梱包物のコーナの部分を確実に保護し、これによって被梱包物の損傷を少ない緩衝体で確実に保護できるようにした梱包用緩衝体を提供することである。
【００１２】
本願発明の上記の課題および別の課題は、以下に述べる本願発明の技術的思想およびその実施の形態によって明らかにされよう。
【課題を解決するための手段】
【００１３】
本願の主要な発明は、段ボールを折畳んで構成される梱包用緩衝体において、
複数の板状部を有し、該複数の板状部が一方のライナのみが連結された半切線および／または連結部によって間欠的に連結された切断線によって交互に逆方向に折畳まれ、
しかも各板状部にはほぼＬ字状をなす破断線が形成され、該破断線の前記半切線または切断線と平行な部位の位置が、連結方向の第１のグループの板状体と第２のグループの板状体とで板状体の幅の中心部に対して対称になされ、
前記切断線のところで２分割すると背面側の受け壁の前面が受け面になっている保持部が形成され、しかも２分割されたそれぞれの緩衝体の保持部と受け壁とが互いに凹凸嵌合する形状になっていることを特徴とする梱包用緩衝体に関するものである。
【００１４】
ここで前記半切線と前記切断線とが板状体の連結方向に交互に形成されてよい。また折畳まれた板状部は必要に応じて糊剤によって接合されてよい。また前記半切線および／または切断線を横切るように破断線が形成され、該破断線によって折畳まれた板状体が複数個に分割され、それぞれの分割部分が前記ほぼＬ字状の破断線のところでさらに２分割されてよい。また受け壁の前端側の板状部が受け板を構成し、該受け板が折曲げられて板状部の端面によって構成される保持部の上面を覆うようにしてよい。また保持部によって被梱包物品のコーナエッジを受けるようにしてよい。
【発明の効果】
【００１５】
本願の主要な発明は、段ボールを折畳んで構成される梱包用緩衝体において、複数の板状部を有し、該複数の板状部が一方のライナのみが連結された半切線および／または連結部によって間欠的に連結された切断線によって交互に逆方向に折畳まれ、しかも各板状部にはほぼＬ字状をなす破断線が形成され、該破断線の半切線または切断線と平行な部位の位置が、連結方向の第１のグループの板状体と第２のグループの板状体とで板状体の幅の中心部に対して対称になされ、切断線のところで２分割すると背面側の受け壁の前面が受け面になっている保持部が形成され、しかも２分割されたそれぞれの緩衝体の保持部と受け壁とが互いに凹凸嵌合する形状になっているようにしたものである。
【００１６】
従ってこのような梱包用緩衝体によれば、板状部を交互に逆方向に折畳むとともに、ほぼＬ字状をなす破断線のところで破断することによって、折畳まれた段ボールが２分割されてそれぞれが梱包用緩衝体を構成することになる。このような梱包用緩衝体は、２分割される際に保持部と受け部とが互いに凹凸嵌合する形状になっているために、段ボールの利用効率が極めて高く、才落部分を実質的に生ずることがなく、これによって段ボールの有効利用につながる。従ってこのことから、少ない面積の段ボールで効率的に梱包用緩衝体を組立てることができ、資源の有効利用にもつながる。
【発明を実施するための最良の形態】
【００１７】
以下本願発明を図示の実施の形態によって説明する。図１は本実施の形態の梱包用緩衝体を組立てるための段ボール１０を展開して示したものである。段ボール１０は１２枚の板状部１１〜２２を備え、これらがその連結方向に順次配列される構成になっている。そして板状部１１〜２２は、順次半切線２５と切断線２６とによって交互に連結されるようになっており、これらの半切線２５および切断線２６によって囲まれる部分がそれぞれ板状部１１〜２２を構成している。
【００１８】
半切線２５は図２に示すように、両側のライナ２８と中芯２９とから成る段ボールにおいて、その一方のライナ２８と中芯２９とを切断し、他方のライナ２８のみを連結した状態に保持した線になっており、一方のライナ２８によって折曲げ可能に連結される。
【００１９】
これに対して切断線２６には図３に示すように、この切断線２６を横切るように互いにほぼ平行に一対の切込み３１が形成され、しかも切込み３１間を横切るように一対のミシン目３２が形成されている。しかもミシン目３２よりも切断線２６から遠い位置に切込み３３が形成されている。そして両側の切込み３１間が連結部３４になっており、この連結部３４によって切断線の両側の部分が連結される。従って連結部３４以外の部分では切断線２６によって両側の板状部１１〜２２は互いに分離された状態にある。
【００２０】
またこれら１１枚の板状部１１〜２２は図１に示すように、半切線２５および切断線２６と交差するように形成される２本の破断線３５によって破断されるようになっている。破断線３５は図４に示すように、板状部１１〜２２の連結方向に延びる切断線であって、連結部３６のところで間欠的に連結されている。従って強い力を加えると、上記連結部３６のところでの連結が破壊し、これによって破断線３５に沿って破断されて分離されることになる。
【００２１】
各板状部１１〜２２の破断線３５によって３分割される各領域にはほぼＬ字状に破断線４０が形成される。ここで破断線４０の半切線２５および切断線２６と平行な部位は、板状部１１〜１６については半切線２５からの距離が互いに等しくなっている。また板状部１７〜２２についても、破断線４０の半切線２５および切断線２６と平行な部位は、半切線２５からの距離が互いに等しくなっている。
【００２２】
しかも破断線４０の半切線２５および切断線２６と平行な部位は、板状部１１〜１６と、１７〜２２とでは互いにこれらの板状部１１〜２２の幅方向の中心部に対して対称な関係にになっている。このような構造は、後述するように破断線４０のところで２分割した際に、保持部５０と受け壁５１とが互いに凹凸嵌合する構造を形成するためのものである。
【００２３】
このような保持部５０と受け壁５１との凹凸嵌合のための構成についてより詳細に説明すると、図１において板状部１１〜１６の破断線４０の半切線２５および切断線２６と平行な部位の両端と切断線２６および半切線２５とを連結する部分の切断線を４０ａ、４０ｂとし、板状部１７〜２２の半切線２５および切断線２６と平行な部位の両端と切断線２６および半切線２５とを連結する破断線を４０ｃ、４０ｄとする。すると破断線４０ａと４０ｄとが等しく、破断線４０ｂと４０ｃとが等しくなっている。しかも破断線４０ａと４０ｂとの長さの和および破断線４０ｃおよび４０ｄの長さの和がともに板状部１１〜２２の幅に等しくなっている。このような特徴ある構成によって、後述するように破断線４０のところで２分割すると、保持部５０と受け壁５１とが互いに凹凸嵌合するように分割されることになる。
【００２４】
また板状部１６、１７については別のＬ字状の切断線４２が形成される。これらの切断線４２は一対の連結部４３によって部分的に遮断され、これによって切断線４２によって画成される受け板４４が折曲げ可能に形成されることになる。
【００２５】
このような構造に係る図１に示す段ボール１０を、半切線２５および切断線２６のところで交互に互いに逆方向に図５に示すように折畳む。なおこの段ボール１０の板状部１１〜２２の内の互いに接合される部位に予め澱粉糊を塗布しておく。このような状態で段ボール１０の板状部１１〜２２を互いに重合わせると、図６および図７に示すような細長い直方体状をなす段ボールのブロックが形成される。このブロックは図６に示すように、半切線２５が露出する一方の側面と、図７に示すように切断線２６が露出する側面とをその両側に有する。そして切断線２６が露出する側面においては図７に示すように、間欠的に連結部３４で連結されることになる。
【００２６】
このように板状部１１〜２２を互いに交互に逆方向に折畳んで細長い直方体状のブロックとした後に、図８に示すように、縦方向に延びる２本の破断線３５のところでこのブロックを３分割する。上述の如く破断線３５が連結部３６のところで部分的に連結されているだけであるから、所定の力を加えると連結部３６が破断し、これによって３分割されることになる。
【００２７】
このように板状体１１〜２２の接合体を３分割したならば、この後さらに図９および図１０に示すように、破断線４０によって２分割し、これによって一対の緩衝体４７を得る。
【００２８】
上述の如く板状部１１〜１６と、１７〜２２とでは、それらの内側に形成される破断線４０の板状部１１〜２２の幅方向の中心線に対する位置が互いに対称になっているために、図１１および図１２に示す一対の緩衝体４７の保持部５０とその背面側の受け壁５１とが互いに交互に凹凸嵌合するように構成されている。従って図９および図１０に示すように２分割することによって、一対の緩衝体４７を同時に得ることが可能になる。
【００２９】
一対の緩衝体の内の図１１に示す緩衝体４７は、その底面が切断線２６によって切断された板状体１１〜２２の端面が下側に位置するようになっている緩衝体である。これに対して図１２に示す緩衝体は、半切線２６によって構成される板状板１１〜２２の端面が下側に位置するようになっている緩衝体である。
【００３０】
これら一対の緩衝体は何れも、その前面側に凹部から成る保持部５０を備えるとともに、その背面側が受け壁５１にになっている。そして受け壁５１の前端側に位置する板状部であって切断線４２によって画成される受け板５２を連結部４３のところで折曲げ、保持部５０の上面を覆うようにする。保持部５０は板状部１１〜１６あるいは１７〜２２の切断端面が露出しているために、そのままだと被梱包物に傷がつく可能性がある。ところが受け板５２を形成して保持部５０の上面に重ねるようにすると、被梱包物の保護が図られるようになる。
【００３１】
図１３および図１４は、このような緩衝体４７を用いて被梱包物５５を梱包する状態を示している。例えば直方体状をなす被梱包物５５の８つのコーナエッジの部分の上下面をそれぞれ緩衝体４７の保持部５０によって受けるようにすると、被梱包物５５の保護が図られる。すなわち８つの緩衝体４７を用いて被梱包物の緩衝を行なうことができる。
【００３２】
従って被梱包物５５を図１４に示すように段ボール箱５６内に収納して物流に供する場合には、この段ボール箱５６と被梱包物５５との間の空間であって、コーナエッジの部分にそれぞれ緩衝体４７を配することによって、被梱包物の緩衝が図られる。
【００３３】
このような包装用緩衝体の特徴は、図１から明らかなように、単一の連続する長方形の形状をなす段ボール１０を打抜いて半切線２５、切断線２６、破断線３５、４０を形成し、この後にこの段ボール１０を折畳むことによって組立てられるようになる。そして段ボール１０を打抜く際に、才落部分が皆無であるために、段ボール１０の利用効率が１００％になり、原材料の無駄が全く生じない。従って少ない面積の段ボールで効果的に緩衝体を組立てることができる。
【００３４】
しかもこのような緩衝体は、図１３から明らかなように、被梱包物５５の所要の部位、すなわち例えばコーナエッジ等を受けるように配するだけでよく、被梱包物５５の大きさに比べて十分に小さな緩衝体４７によって緩衝を行なうことが可能になるために、緩衝効率に優れ、しかも原材料の省資源化に大きく貢献することになる。また段ボール１０の利用効率が高く、才落部分が皆無であることから、緩衝体４７の低コスト化が図られることになる。
【００３５】
以上本願発明を図示の実施の形態によって説明したが、本願発明は上記実施の形態によって限定されることなく、本願に含まれる発明の技術的思想の範囲内で各種の変更が可能である。例えば図に示す構成では、単一の板状体から６個の緩衝体４７を得るようにしているが、１つの板状体で８個の緩衝体を得ることもできる。また緩衝体４７の寸法等については、被梱包物の寸法に応じて各種の変更が可能である。
【産業上の利用可能性】
【００３６】
本願発明は、各種の物品を物流に供するための梱包用緩衝体として広く利用可能である。
【図面の簡単な説明】
【００３７】
【図１】梱包用緩衝体を組立てるための段ボールの展開平面図である。
【図２】半切線の構造を示す縦断面図である。
【図３】切断線の連結部の構造を示す要部拡大平面図である。
【図４】破断線の構造を示す要部拡大平面図である。
【図５】段ボール１０を交互に逆方向に折畳む動作を示す斜視図である。
【図６】折畳まれた段ボールのブロックの斜視図である。
【図７】同段ボールのブロックの反対側から見た斜視図である。
【図８】段ボールを３分割する動作を示す要部平面図である。
【図９】３分割された各部分をさらに２分割する動作を示す要部平面図である。
【図１０】同２分割する動作を示す要部斜視図である。
【図１１】２分割された各緩衝体の内の一方の緩衝体を示す要部斜視図である。
【図１２】２分割された各緩衝体の内の他方の緩衝体の要部斜視図である。
【図１３】被梱包物に対する緩衝体の配置を示す要部斜視図である。
【図１４】段ボール箱内に収納される被梱包物を緩衝体によって緩衝している状態を示す要部縦断面図である。
【符号の説明】
【００３８】
１０  段ボール
１１〜２２  板状部
２５  半切線
２６  切断線
２８  ライナ
２９  中芯
３１  切込み
３２  ミシン目
３３  切込み
３４  連結部
３５  破断線
３６  連結部
４０  破断線
４２  切断線
４３  連結部
４４  受け板
４７  緩衝体
５０  保持部
５１  受け壁
５２  受け板
５５  被梱包物
５６  段ボール箱
【図１】
2006232358.tif 000003
【図２】
2006232358.tif 000004
【図３】
2006232358.tif 000005
【図４】
2006232358.tif 000006
【図６】
2006232358.tif 000007
【図７】
2006232358.tif 000008
【図８】
2006232358.tif 000009
【図９】
2006232358.tif 000010
【図１０】
2006232358.tif 000011
【図１１】
2006232358.tif 000012
【図１２】
2006232358.tif 000013
【図１３】
2006232358.tif 000014
【図１４】
2006232358.tif 000015
【図５】
2006232358.tif 000016